(57)【要約】【課題】  飲料缶の飲み口部を衛生的に保護すると共に、開缶時に缶飲料が吹き出ることを防止する。【解決手段】  プルタブＴが引き起こされることによって飲み口８が開口される構成のプルトップ式飲料缶Ｃ1 において、缶本体１を構成する缶胴部２の上部で、飲用時に口唇が押し当てられる部分と、天蓋部３の全体を、薄いフィルム状のポリプロピレンから成る保護シートＳ1 で被覆し、該保護シートＳ1 を加熱して熱収縮させることによって缶胴部２に密着させると共に、前記プルタブＴにおける指引掛け部６のほぼ直上に破断予定線１２を設け、前記保護シートＳ1 を破断する操作と、前記プルタブＴを引き起こす操作が連続してできるようにする。【選択図】        図５
2005170398.tif 000002
【特許請求の範囲】
【請求項１】
缶本体の天蓋部に取付けられたプルタブを引き起こすことによって飲み口を開口し、該飲み口の周辺部に口唇を押し当てて飲む形態のプルトップ式飲料缶の飲み口部の保護構造であって、
前記天蓋部の全体と、缶胴部において少なくとも口唇が押し当てられる部分のほぼ全周とを保護シートで被覆して、
開缶時に、前記天蓋部を被覆する保護シートを破断させる操作と、前記プルタブを引き起こす操作とが連続して行われるように構成したことを特徴とするプルトップ式飲料缶の飲み口部の保護構造。
【請求項２】
前記天蓋部の保護シートは、張力付与状態で取付けられていることを特徴とする請求項１に記載のプルトップ式飲料缶の飲み口部の保護構造。
【請求項３】
前記天蓋部の保護シートには、破断予定線が設けられていることを特徴とする請求項１又は２に記載のプルトップ式飲料缶の飲み口部の保護構造。
【請求項４】
前記破断予定線は、プルタブにおける指引掛け部のほぼ直上に設けられていることを特徴とする請求項３に記載のプルトップ式飲料缶の飲み口部の保護構造。
【請求項５】
前記天蓋部と前記缶胴部との接合部分には、窪み部が形成されていて、前記保護シートは前記窪み部に嵌まり込んだ状態で被覆されていることを特徴とする請求項１ないし４のいずれかに記載のプルトップ式飲料缶の飲み口部の保護構造。
【請求項６】
前記保護シートは、熱収縮可能なポリプロピレンフィルムより成ることを特徴とする請求項１ないし５のいずれかに記載のプルトップ式飲料缶の飲み口部の保護構造。
【発明の詳細な説明】
【技術分野】
【０００１】
本発明は、缶本体の天蓋部に取付けられたプルタブを引き起こすことによって飲み口を開口し、該飲み口の周辺部に口唇を押し当てて飲む形態のプルトップ式飲料缶の飲み口部の保護構造に関するものである。なお、本明細書において、「飲み口」とは、缶飲料を飲むために缶本体の天蓋部に開口される部分を示し、「飲み口部」とは、前記飲み口の周辺部を示している。
【背景技術】
【０００２】
図１４に示されるように、プルトップ式飲料缶Ｃ’に詰められた飲料（以降、この状態の飲料を「缶飲料」と記載する）は、前記飲料缶Ｃ’の飲み口部Ｄに、人の口唇が直接押し当てられて飲まれることが多い。それにもかかわらず、該飲み口部Ｄの衛生状態が良好であるとはいい難い。なぜならば、（１）飲料缶が工場から出荷され、流通されるとき、それらはまとめて段ボールケースに収納される。このケースは、必ずしも衛生的ではなく、また、気密性にも劣るため、飲料缶の飲み口部に雑菌が繁殖するおそれがある。（２）前記飲料缶が小売店の陳列棚に並べられるとき、或いは、自動販売機に収納されるとき、作業者が汚れた手で、飲料缶の飲み口部を掴む場合がある。（３）缶飲料を自動販売機で購入するとき、その落下口の部分にゴミや埃が堆積していて、飲料缶の飲み口部が汚染される。
【０００３】
そして、近時のプルトップ式飲料缶では、環境問題を考慮して、ステイ・オン・タブ方式（プルタブが飲料缶の天蓋部に連結されていて、飲み口が開口された後でも、前記プルタブが天蓋部から外れない方式）が採用されている。このため、プルタブを引き起こす際に、清潔とはいい難い飲み口形成片の先端部が缶飲料内に沈下する場合がある。
【０００４】
上記した不具合を解消するため、各種の発明が開示されている（例えば、特許文献１参照）。しかし、この発明では、飲料缶とキャップ体が別体のものであるため、飲料缶の製造後に両者を合体させるための工程を必要とする。また、このキャップ体には一定の強度が必要であるため、製作費が高くなる。そして、輸送中の振動等により、前記キャップ体がずれたり、外れたりするおそれもある。更に、開缶時にキャップ体を取り外す必要があり、面倒である。
【０００５】
また、プルタブＴを勢いよく引き起こしたときに、缶飲料が吹き出る場合がある。特に、ビールや清涼飲料水（炭酸ガスを含む飲料水）を缶飲料とするプルトップ式飲料缶では、開缶時に泡が吹き出る場合があり、従来の飲料缶でこれを防ぐことは困難である。また、開缶時に、誤って飲料缶を倒してしまった場合も同様である。
【特許文献１】特開平１０−３０５８５６号公報
【発明の開示】
【発明が解決しようとする課題】
【０００６】
本発明は、上記した不具合に鑑み、プルトップ式飲料缶の飲み口部を衛生的に保護すること、及び、開缶時に缶飲料が吹き出たり、こぼれたりしないようにすることを課題としている。なお、缶飲料には、液体状のものだけでなく、固形物が入っているものも含むものとする。
【課題を解決するための手段】
【０００７】
上記課題を解決するための請求項１の発明は、缶本体の天蓋部に取付けられたプルタブを引き起こすことによって飲み口を開口し、該飲み口の周辺部に口唇を押し当てて飲む形態のプルトップ式飲料缶の飲み口部の保護構造であって、前記天蓋部の全体と、缶胴部において少なくとも口唇が押し当てられる部分のほぼ全周とを保護シートで被覆して、開缶時に、前記天蓋部を被覆する保護シートを破断させる操作と、前記プルタブを引き起こす操作とが連続して行われるように構成したことを特徴としている。
【０００８】
プルトップ式飲料缶において、飲用時に少なくとも口唇が押し当てられる部分が保護シートで被覆されているため、開缶されるまで飲み口部の衛生状態が良好に保持される。しかも、保護シートを破断させる操作と、プルタブを引き起こす操作とは連続して行われるため、保護シートが取付けられていても、開缶操作をスムーズに行うことができる。また、プルタブにおける指引掛け部の直上の保護シートを破断するだけで済み、飲み口の直上の保護シートはそのまま残存する。このため、プルタブが勢いよく引き起こされても、缶飲料が吹き出ることを防止できる。特に、前記缶飲料が、ビール、清涼飲料水等のように、開缶時に泡が吹き出るおそれがあるものの場合であっても、それらの泡が外部に飛散することを防止できる。また、誤って倒しても、缶飲料がこぼれる量を最少にすることができる。
【０００９】
請求項２の発明は、請求項１の発明を前提として、前記天蓋部の保護シートは、張力付与状態で取付けられていることを特徴としている。この発明では、保護シートを破断する操作が容易になる。
【００１０】
請求項３の発明は、請求項１又は２の発明を前提として、前記天蓋部の保護シートには、破断予定線が設けられていることを特徴としている。この発明では、保護シートを破断する操作がより容易になると共に、前記保護シートの破断形状をほぼ一定にすることができるため、破断後の保護シートを剥離する操作も容易になる。
【００１１】
請求項４の発明は、請求項３の発明を前提として、前記破断予定線は、プルタブにおける指引掛け部のほぼ直上に設けられていることを特徴としている。この発明では、保護シートを破断する操作と、プルタブに指を引っ掛ける操作を、ほとんど同時に行うことができ、開缶のための操作をよりスムーズに行うことができる。
【００１２】
請求項５の発明は、請求項１ないし４のいずれかの発明を前提として、前記天蓋部と前記缶胴部との接合部分には、窪み部が形成されていて、前記保護シートは前記窪み部に嵌まり込んだ状態で被覆されていることを特徴としている。この発明では、保護シートの抜け止めが図られる。また、前記窪み部と缶本体とが密着されているため、当該窪み部で保護シートが破断するおそれが少なくなる。
【００１３】
請求項６の発明は、請求項１ないし５のいずれかの発明を前提として、前記保護シートは、熱収縮可能なポリプロピレンフィルムより成ることを特徴としている。この発明では、保護シートを熱収縮させるだけで缶本体に装着できるため飲料缶の製作が容易であると共に、薄いフィルム状なので破断が容易である。また、飲料缶の外形が大きくなることを防止できる。更に、透明なので、缶本体のデザイン又は缶胴部に印刷された図柄の視認性を損なうことがない。
【発明の効果】
【００１４】
本発明は、缶本体の天蓋部に取付けられたプルタブを引き起こすことによって飲み口を開口し、該飲み口の周辺部に口唇を押し当てて飲む形態のプルトップ式飲料缶の飲み口部の保護構造であって、前記天蓋部の全体と、缶胴部において少なくとも口唇が押し当てられる部分のほぼ全周とを保護シートで被覆して、開缶時に、前記天蓋部を被覆する保護シートを破断させる操作と、前記プルタブを引き起こす操作とが連続して行われるように構成したことを特徴としている。このため、プルトップ式飲料缶における飲み口部の衛生状態が良好に保持できると共に、開缶操作もスムーズに行うことができる。また、飲み口を開口しても、該飲み口の直上の保護シートはそのまま残存するため、開缶時に、缶飲料（特に、ビールや清涼飲料水等の泡）が吹き出ることを防止できると共に、誤って倒しても、缶飲料がこぼれる量を最少にすることができる。
【発明を実施するための最良の形態】
【００１５】
以下、本発明の最良実施例を挙げて、本発明を更に詳細に説明する。図１は本発明の第１実施例のプルトップ式飲料缶Ｃ1 の斜視図、図２は同じく平面図、図３は第１実施例のプルトップ式飲料缶Ｃ1 の製造工程図である。
【実施例１】
【００１６】
図１及び図２に示されるように、本発明の第１実施例のプルトップ式飲料缶Ｃ1 （以降、単に「飲料缶Ｃ1 」と記載する）は、アルミニウム又は鉄等の金属より成る缶本体１と、飲用時に口唇が触れる部分を保護するために、前記缶本体１の上部に密着状態で被覆された保護シートＳ1 とから構成されている。最初に、缶本体１について説明する。この缶本体１は、略円筒状の缶胴部２の上下端部を、天蓋部３と底板部（図示せず）で閉塞した形態である。前記天蓋部３には、飲み口部Ｄが形成されている。飲み口部Ｄについて説明する。本実施例の飲料缶Ｃ1 の天蓋部３の周縁部３ａは、缶胴部２の上端部に嵌まり込んでいて、前記天蓋部３は前記周縁部３ａよりも少し（数mm程度）低くなった位置に窪んだ状態で設けられている。平面視における天蓋部３のほぼ中央部には、リベット４により、ステイ・オン・タブ方式のプルタブＴが固着されていると共に、該リベット４に近接して、略半楕円形状の飲み口形成片５（後述）が設けられている。前記プルタブＴの一端部には、該プルタブＴを引き起こすときに指を引っ掛けるための指引掛け部６が、僅かに盛り上がった状態で形成されていて、同じく他端部には、前記飲み口形成片５を押し込むための押圧部７が形成されている。このため、飲み口形成片５とプルタブＴの押圧部７とは重なり状態に配置されている。そして、前記飲み口形成片５は、プルタブＴとほぼ同一の直線上に設けられている。該プルタブＴの指引掛け部６が引き起こされると、その押圧部７は、リベット４を支点として下方に押し下げられ、飲み口形成片５を押し込む。すると、飲み口形成片５の基端部５ａを除く周縁部が天蓋部３から分離され、飲み口８が開口される（図４参照）。
【００１７】
次に、保護シートＳ1 について説明する。図１及び図３に示されるように、この保護シートＳ1 は、透明で、厚さが約０．０３mmの二軸延伸ポリプロピレンより成り、缶本体１の缶胴部２を被覆するための円筒状の缶胴被覆部９と、該缶胴被覆部９の上端部を閉塞するための天蓋被覆部１１とから構成されている。前記缶胴被覆部９の内径は、缶胴部２の外径よりも少し大きい。また、前記缶胴被覆部９の高さＨは、飲用時に口唇が押し当てられる缶胴部２の部分を被覆するのに十分な長さを有している。そして、前記保護シートＳ1 の天蓋被覆部１１には、飲用時に保護シートＳ1 を破断させる利便性を考慮して、予め、破断予定線１２が設けられている。この破断予定線１２は、断続的に設けられた多数の切込線が、円周状に形成されたものである。この実施例の保護シートＳ1 の破断予定線１２は、天蓋被覆部１１の外径よりも少し小さい直径（缶本体１に装着されたとき、破断予定線１２がプルタブＴの指引掛け部６のほぼ直上に配置される長さを有する直径）で、全周に亘って設けられている。ここで、「ほぼ直上」とは、プルタブＴの指引掛け部６の直上から、天蓋部３の周縁部３ａの内側近傍までをも含むものとする。
【００１８】
図３に示されるように、この保護シートＳ1 は、缶本体１とは別工程で製造され、缶本体１の上部に装着される。そして、加熱された保護シートＳ1 が熱収縮することにより、天蓋被覆部１１に張力が付与されると共に、缶胴被覆部９が缶胴部２に密着される。このため、保護シートＳ1 で被覆しても、飲料缶Ｃ1 の外形寸法は、被覆しないときと殆ど同一である。この結果、飲料缶Ｃ1 を収納する段ボールケースは、従来と同一のものが使用できる。また、前記保護シートＳ1 は、熱収縮されるときに、缶本体１における缶胴部２と天蓋部３との接合部に形成された窪み部１３に嵌まり込むため、該保護シートＳ1 の抜け止めが図られる。この結果、飲料缶Ｃ1 の搬送中の振動等により、保護シートＳ1 が外れるおそれはない。
【００１９】
第１実施例の飲料缶Ｃ1 の作用を説明する。前述したように、この飲料缶Ｃ1 における缶胴部２の上部（飲用時に口唇が押し当てられる部分）と天蓋部３には、保護シートＳ1 が装着されている。このため、該飲料缶Ｃ1 が工場から出荷された後であっても、開缶されるまで、飲料缶Ｃ1 の飲み口部Ｄを構成する各部材（缶胴部２、天蓋部３、飲み口形成片５）の衛生状態は良好に保持される。また、この保護シートＳ1 は、缶胴部２に密着して、しかも、抜け止め状態で装着されているため、搬送中の振動や、小売店に陳列されたり自動販売機に収納されたりする際の掴み方によって外れるおそれはない。
【００２０】
この飲料缶Ｃ1 を開缶するときは、図４及び図５に示されるように、指で、プルタブＴにおける指引掛け部６の直上部分の保護シートＳ1 （天蓋被覆部１１）を押し込んで破断させる。前記天蓋被覆部１１は、一定の張力付与状態で取付けられていて、しかも、指引掛け部６の直上近傍には破断予定線１２が設けられているため、容易に破断させることができる。図４において、破断される前の保護シートＳ1 の天蓋被覆部１１を、一点鎖線で示す。そして、そのまま指をプルタブＴの指引掛け部６に引っ掛けて、プルタブＴを引き起こす。上記した保護シートＳ1 を破断する操作とプルタブＴを引き起こす操作は連続して、しかもワンタッチで行うことができるため、保護シートＳ1 が取付けられていても、従来の飲料缶Ｃ’と同程度にスムーズに行うことができる。
【００２１】
前記プルタブＴが引き起こされることにより、飲み口形成片５が押し下げられ、飲み口８が開口される。その状態のプルタブＴを、図４に二点鎖線で示す。このとき、プルタブＴを引き起こすために保護シートＳ1 の天蓋被覆部１１を破断させる部分は、前記プルタブＴの指引掛け部６の直上部分だけで済み、飲み口８の直上には、前記保護シートＳ1 が張力付与状態のまま残存している。このため、缶飲料がビールや清涼飲料水であって、泡が吹き出た場合であっても、外部に飛散することが防止される。また、前記飲み口形成片５が押し下げられることによって、その先端部が缶飲料内に沈下しても、該飲み口形成片５の衛生状態が良好に保持されているため、缶飲料が汚染されるおそれはない。なお、図４及び図５において、１１ａは、天蓋被覆部１１の破断部である。
【００２２】
更に、図６に示されるように、開缶時に誤って倒しても、飲み口部Ｄに残存する保護シートＳ1 により、缶飲料がこぼれる量を最少にすることができる。
【００２３】
そして、前記プルタブＴを戻すと共に、保護シートＳ1 を剥離する。このとき、プルタブＴから離した指で、そのまま保護シートＳ1 の破断部１１ａを掴んで剥離することができる。しかも、この保護シートＳ1 は、熱収縮することによって缶胴部２に密着していて何らの接着剤等も使用していないため、衛生的であると共に、該保護シートＳ1 を容易に剥離することができる。
【００２４】
第１実施例の飲料缶Ｃ1 を構成する保護シートＳ1 には、断続的な切込線から成る破断予定線１２が円周状に設けられている。これにより、保護シートＳ1 を飲料缶Ｃ1 に装着させるとき、両者の位置決めをしなくても済むという利点がある。しかし、保護シートＳ1 の装着時に両者の位置決めをすることが可能であれば、図７及び図８に示される形態であっても構わない。図７の（イ）は、破断予定線１２を全周に設けずに、飲み口部Ｄに対応する長さＬの分を除いて設けた形態である。この長さＬは、飲み口形成片５の最大幅よりも少し長い。これにより、プルタブＴの指引掛け部６の直上部分の保護シートＳ1 が破断されても、その破断状態が全周に及ばなくなり、飲み口部Ｄの部分の保護シートＳ1 は、張力付与状態で確実に残存される。このため、ビールや清涼飲料水の泡が吹き出ることを確実に防止できる。また、図７の（ロ）は、円周状の破断予定線１２を、円周方向に沿って断続的に設けた形態である。この場合にも、（イ）と同様な効果が奏される。更に、断続部分の長さ（破断予定線１２どうしの間隔）を、プルタブＴの幅の半分程度まで短くしてもよい。これにより、破断予定線１２の断続部分がプルタブＴの指引掛け部６のほぼ直上に配置されても、前記破断予定線１２を破断させる操作を行うことができる。
【００２５】
図８の（イ）は、プルタブＴにおける指引掛け部６のほぼ直上に、円弧状の破断予定線１４を１個だけ設けた形態である。これにより、保護シートＳ1 の強度が向上し、該保護シートＳ1 が熱収縮されたときに破断されるおそれが少なくなる。また、図８の（ロ）は、前記破断予定線１４の両端部から、プルタブＴの長手方向に沿って一対の剥離予定線１５を設けた形態である。これにより、プルタブＴを引き起こすために保護シートＳ1 を破断した後、該保護シートＳ1 を、一対の剥離予定線１５に沿ってそのまま引っ張るだけで、飲み口部Ｄに対応する長さＬ分の保護シートＳ1 を剥離することができる。換言すれば、上記した操作により、飲み口部Ｄの保護シートＳ1 を剥離できるため、保護シートＳ1 の全体を剥離させなくても、そのまま飲むことができる。
【００２６】
図９の（イ）は、平面視における天蓋部３のほぼ中央部に、十字状の破断予定線１６を設けた形態である。このとき、前記破断予定線１６の各切込線の列が、プルタブＴの長手方向に沿っていなくても構わない。この形態の場合、保護シートＳ1 の装着時に、保護シートＳ1 と飲料缶Ｃ1 との位置決めが不要であるという利点がある。しかし、図９の（ロ）に示されるように、前記破断予定線１６を、プルタブＴ’の指引掛け部６のほぼ直上に設けることが望ましい。
【００２７】
上記した十字状の破断予定線１６は、図１０に示されるように、プルタブＴ’が天蓋部３’の周縁部３ａの近傍に設けられていて、指引掛け部６’が、前記天蓋部３’のほぼ中央部に配置される場合に好適である。なお、このような缶本体１’は、プルタブＴ’を引き起こすことによって天蓋部３’の全体が開口される形態であり、固形物が含まれる缶飲料の缶本体１’として公知である。
【００２８】
更に、図１１に示されるように、破断予定線１７が、天蓋部３の全体に亘って放射状に設けられた形態であっても構わない。この場合、保護シートＳ1 の破断が、より容易になるという利点がある。
【実施例２】
【００２９】
上記した第１実施例の飲料缶Ｃ1 は、缶胴部２の上部と天蓋部３が保護シートＳ1 で被覆された形態である。しかし、図１２に示される第２実施例の飲料缶Ｃ2 のように、缶本体１の全体を保護シートＳ2 で被覆しても構わない。これにより、飲み口部Ｄだけでなく、缶本体１全体が衛生的に保護されるという効果が奏される。
【実施例３】
【００３０】
また、図１３に示される第３実施例の飲料缶Ｃ3 は、長方形状の保護シートＳ3 を、缶本体１の天蓋部３を覆い被せるようにして被覆したものである。この実施例の飲料缶Ｃ3 では、保護シートＳ3 の缶胴被覆部９の下端部が襞状に形成され、飲み口部Ｄを衛生的に保護するという効果を損なうことなく、該飲料缶Ｃ3 に装飾的な効果が奏される。また、缶胴被覆部９の襞状部分を引っ張ることにより、容易に保護シートＳ3 を剥離させることができる。更に、保護シートＳ3 の形状が極めて単純であるため、その製作コストが安価である。
【００３１】
上記した各実施例の保護シートＳ1 〜Ｓ3 は、無色透明のポリプロピレンであり、しかも缶胴部２に密着状態で装着されている。このため、缶本体１のデザイン又は缶胴部２に印刷された図柄の視認性を損なうことはない。また、天蓋部３におけるプルタブＴの位置が見にくくなることもない。しかし、各保護シートＳ1 〜Ｓ3 に着色しても構わない。また、前記保護シートＳ1 〜Ｓ3 は、ポリプロピレン以外の材質、例えば、ポリエチレン等であっても構わない。
【００３２】
上記した各実施例では、保護シートＳ1 〜Ｓ3 の缶胴被覆部９は、缶本体１の缶胴部２の全周に亘って装着されている。このため、飲用時に口唇が押し当てられる飲み口部Ｄだけでなく、缶本体１の上部の全体が保護される。これは、例えば缶胴部２の外径が小さく、缶本体１の上部の全体が飲み口部Ｄとなる場合（即ち、缶本体１の上部の全体を口に含んで飲む場合）であっても、前記飲み口部Ｄが衛生的に保護されるという利点がある。しかし、缶胴被覆部９が、缶本体１において飲み口部Ｄとなる部分だけに装着される形態であっても構わない。これにより、保護シートＳ1 〜Ｓ3 の大きさを最小にできるという効果が奏される。
【００３３】
上記した各実施例では、天蓋被覆部１１における保護シートＳ1 〜Ｓ3 は、張力付与状態で取付けられている。このため、保護シートＳ1 〜Ｓ3 を破断する操作が容易になる。しかし、張力が付与されていない状態で取付けられていても構わない。この場合、保護シートＳ1 〜Ｓ3 を熱収縮させても、それらが破断されるおそれがなくなり、製作が容易になる。また、缶本体１の天蓋部３に保護シートＳ1 〜Ｓ3 が密着していても、破断予定線１２がプルタブＴの指引掛け部６のほぼ直上に配置されているため、プルタブＴを引き起こす操作は同一のものとなる。
【００３４】
上記した各実施例において、保護シートＳ1 〜Ｓ3 が装着される缶本体１のデザインは略円柱形状であるが、これ以外の形状、例えば、円錐台形状や細口瓶形状等であっても構わない。
【図面の簡単な説明】
【００３５】
【図１】本発明の第１実施例のプルトップ式飲料缶Ｃ1 の斜視図である。
【図２】同じく平面図である。
【図３】第１実施例のプルトップ式飲料缶Ｃ1 の製造工程図である。
【図４】保護シートＳ1 を破断して、そのままプルタブＴの指引掛け部６に指が引っ掛けられる状態の作用説明図である。
【図５】プルタブＴを引き起こす状態の斜視図である。
【図６】開缶されたプルトップ式飲料缶Ｃ1 が倒れた状態を示す図である。
【図７】（イ）は、破断予定線１２が、飲み口部Ｄに対応する部分を除いて円周方向に沿って設けられた場合の平面図であり、（ロ）は、前記破断予定線１２が断続的に設けられた場合の平面図である。
【図８】（イ）は、円弧状の破断予定線１４が設けられた場合の平面図であり、（ロ）は、破断予定線１４に、一対の剥離予定線１５が設けられた場合の平面図である。
【図９】（イ）は、十字状の破断予定線１６が、天蓋部３のほぼ中央部に設けられた場合の平面図であり、（ロ）は、同じくプルタブＴの指引掛け部６のほぼ直上に設けられた場合の平面図である。
【図１０】プルタブＴ’の指引掛け部６’が、天蓋部３’のほぼ中央部に設けられている缶本体１’のほぼ中央部に、十字状の破断予定線１６が設けられた場合の平面図である。
【図１１】破断予定線１７が、天蓋部３の全体に亘って放射状に設けられた場合の平面図である。
【図１２】第２実施例のプルトップ式飲料缶Ｃ2 の斜視図である。
【図１３】第３実施例のプルトップ式飲料缶Ｃ3 の製造工程図である。
【図１４】人が、飲料缶Ｃ’の飲み口部Ｄに口唇を押し当てて、缶飲料を飲む状態の図である。
【符号の説明】
【００３６】
Ｃ1 〜Ｃ3 ：プルトップ式飲料缶
Ｄ：飲み口部
Ｓ1 〜Ｓ3 ：保護シート
Ｔ',Ｔ：プルタブ
１：缶本体
２：缶胴部
３：天蓋部
６：指引掛け部
８：飲み口
１１：天蓋被覆部（天蓋部の保護シート）
12,14,16,17：破断予定線
１３：窪み部
【図１】
2005170398.tif 000003
【図２】
2005170398.tif 000004
【図３】
2005170398.tif 000005
【図４】
2005170398.tif 000006
【図５】
2005170398.tif 000007
【図６】
2005170398.tif 000008
【図７】
2005170398.tif 000009
【図８】
2005170398.tif 000010
【図９】
2005170398.tif 000011
【図１０】
2005170398.tif 000012
【図１１】
2005170398.tif 000013
【図１２】
2005170398.tif 000014
【図１３】
2005170398.tif 000015
【図１４】
2005170398.tif 000016